(57)【要約】【課題】リモコン操作における選局ボタンと放送局の対応関係をユーザが自分の好みに合った設定にし、且つその設定を複数のＴＶ受像機に対して自由に利用できるようにする。【解決手段】ＩＰネットワーク１に情報サーバ７と複数のＴＶ受像機２,３,４が接続されており、ユーザがリモコン８でＴＶ受像機２を制御して、ユーザ識別情報と、リモコン操作での選局ボタンと放送局の対応関係を規定する情報テーブルとを対応付けて情報サーバ７に登録する。その後、ユーザがリモコン操作によりＴＶ受像機２or３へユーザ識別情報を入力すると、情報サーバ７からそのユーザ識別情報に対応する情報テーブルがＴＶ受像機２or３へ送信されて選局操作設定プログラムにセットされ、以降、リモコン８を情報テーブルに基づく選局ボタンと放送局の対応関係で操作できる。【選択図】図１
2006196942.tif 000002
【特許請求の範囲】
【請求項１】
ＩＰ（Internet Protocol）ネットワークに接続された複数のテレビジョン受像機と、前記各テレビジョン受像機を制御するリモートコントローラ（以下、「リモコン」という）と、前記ＩＰネットワークに接続された情報サーバとからなり、
ユーザが前記リモコンで前記各テレビジョン受像機の内の１台のテレビジョン受像機を制御することにより、ユーザ識別情報及びリモコン操作に係る選局ボタンと放送局の対応情報を作成すると共に、それら各情報を前記ＩＰネットワークを介して前記情報サーバへ送信せしめ、前記情報サーバが前記ユーザ識別情報と前記対応情報とを対応付けて記憶手段に登録する第１手順と、
前記ユーザが前記リモコンで前記テレビジョン受像機の内のいずれかを制御して前記ユーザ識別情報を前記ＩＰネットワークを介して前記情報サーバへ送信する第２手順と、
前記情報サーバが前記第２手順で前記テレビジョン受像機から送信された前記ユーザ識別情報を受信し、前記記憶手段において前記ユーザ識別情報に対応付けられている前記対応情報を前記第２手順で前記ユーザ識別情報を送信した前記テレビジョン受像機へ前記ＩＰネットワークを介して送信する第３手順と、
前記第３手順で送信された前記対応情報を受信した前記テレビジョン受像機が、その対応情報に基づいてリモコン操作に係る選局ボタンと放送局の対応関係を設定する第４手順と
を実行することにより、前記ユーザが設定したリモコン操作に係る選局ボタンと放送局の対応関係を前記ＩＰネットワークに接続された前記各テレビジョン受像機の選局操作に適用できるようにしたことを特徴とするテレビジョン受像機の選局操作設定方法。
【請求項２】
ＩＰネットワークに接続された複数のテレビジョン受像機と、前記各テレビジョン受像機を制御するリモコンと、前記ＩＰネットワークに接続された情報サーバとからなり、
各テレビジョン受像機は、
前記リモコンからの所定入力操作により、ユーザ識別情報及びリモコン操作に係る選局ボタンと放送局の対応情報を作成すると共に、それら各情報を前記ＩＰネットワークを介して前記情報サーバへ送信する登録情報送信手段と、
前記リモコンからの前記ユーザ識別情報の入力操作により、そのユーザ識別情報を前記ＩＰネットワークを介して前記情報サーバへ送信するユーザ情報送信手段と、
前記ユーザ情報送信手段によるユーザ識別情報の送信により前記情報サーバから送信される前記対応情報を受信し、自機における前記リモコン操作に係る選局ボタンと放送局の対応関係を設定する選局機能設定手段と
を備え、
前記情報サーバは、
前記テレビジョン受像機の登録情報送信手段により送信された前記ユーザ識別情報及び前記対応情報を前記ＩＰネットワークを介して受信した場合に、それら各情報を対応付けて記憶手段に登録する情報登録手段と、
前記テレビジョン受像機のユーザ情報送信手段により送信された前記ユーザ識別情報を前記ＩＰネットワークを介して受信した場合に、前記記憶手段においてそのユーザ識別情報に対応付けられている前記対応情報を読み出し、前記ＩＰネットワークを介してそのユーザ識別情報を送信した前記テレビジョン受像機へ送信する設定情報送信手段と
を備え、
前記ユーザが設定したリモコン操作に係る選局ボタンと放送局の対応関係を前記ＩＰネットワークに接続された前記各テレビジョン受像機の選局操作に適用できるようにしたことを特徴とするテレビジョン受像機の選局操作設定システム。
【発明の詳細な説明】
【技術分野】
【０００１】
本発明はテレビジョン受像機（以下、「ＴＶ受像機」という）の選局操作設定方法及びそのシステムに係り、特に、ＩＰ（Internet Protocol）ネットワークに接続されている複数のＴＶ受像機についてリモートコントローラ（以下、「リモコン」という）で選局操作を行う際の選局ボタンと放送局の対応関係を、ユーザが自分の好みに応じて設定するための方法及びシステムに関する。
【背景技術】
【０００２】
従来から、ＴＶ受像機にはリモコンが付属しており、リモコンの選局ボタンと放送局との対応関係はメーカ標準設定又は地域標準設定になっているのが一般的であるが、最近ではユーザが前記対応関係を個別に設定できるものもあり、その場合、ＴＶ受像機の購入後に、例えば選局ボタンの番号の昇順に視聴頻度の高い放送局を対応付けておく等の選局操作設定を自由に行える。
【０００３】
一方、近年におけるＴＶ受像機の普及度合いは、部屋毎に１台、個人別に１台というような状況にあり、ＴＶ受像機が家庭内に複数台あるようなことは珍しくない。従って、前記のように標準設定や個別設定のリモコンがあると、ＴＶ受像機毎にリモコンの設定状態を確認しなければならず、また設定者以外のユーザがリモコン利用する際に非常に不便である。
【０００４】
そのような問題点に関連した技術として、下記の各特許文献では様々な提案がなされている。特許文献１には、同一のリモコンを使用して複数台の被制御機器を制御できるようにするために、リモコン切換装置を各被制御機器に接続しておき、リモコンからリモコン切換装置を介して各被制御機器を指定して選択的に制御できる方式が開示されている。特許文献２には、複数機器の統合制御装置であって、操作者が最初に複数機器の遠隔操作を行う際に、複数の操作対象機器のコマンド情報を入力手段及び制御手段を介して記憶手段に読み込ませる操作を行うだけで、新しい操作対象機器にも柔軟に対応して統一的な制御管理が実現できる構成が開示されている。特許文献３には、携帯無線機に赤外線によるリモコン機能を持たせ、ファンクションキーで通話機能と遠隔操作機能とを切り換えて、ＴＶやエアコン等の制御対象機器や個々の機器に対する操作情報をユーザが設定できる構成が開示されている。特許文献４には、複数のユーザが個別に所有する入力デバイスで情報機器を操作する場合に、入力デバイスで情報機器の電源を投入させた際に、予め入力デバイスに登録されている識別情報が自動的に情報機器へ送信され、情報機器側でその識別情報に基づいて操作許可を与えるか否かを判別する情報システムが提案されている。
【特許文献１】特開平７−３３６７８０号公報
【特許文献２】特開平８−６５７６４号公報
【特許文献３】特開平１１−３４１１７１号公報
【特許文献４】特開２０００−９９１８４号公報
【発明の開示】
【発明が解決しようとする課題】
【０００５】
ところで、最近ではＴＶ放送についても地上波・ＵＨＦ・ＢＳアナログ・ＢＳデジタル等の多種多様な放送があり、リモコンの選局ボタンと各放送の中のチャンネルとの対応関係が非常に複雑になってきている。従って、ＴＶ受像機のユーザ側からは、リモコンを自分の好みに合った選局ボタンと放送局との対応付けに設定すると共に、その設定を複数のＴＶ受像機に対して自由に利用できるようにしたいという要求が強くなっている。前記従来技術の中には、リモコンの操作環境を前記要求に沿ったものにすることが可能な技術も含まれているが、そのためにはハードウェア面での各種条件や複雑な手順が必要であり、ＴＶ受像機についてそのまま適用することは困難であり、特にユーザが設定したリモコンの操作環境を複数のＴＶ受像機に対して自由に適用できるようにすることについては有効な解決策を与えていない。
【０００６】
一方、インターネットで普及が進んだＩＰ技術は、コンピュータ用のデータ伝送だけでなく幅広い用途に利用されるようになっており、ＩＰネットワークのインフラの拡充が急速に進展している。そして、従来からＩＰネットワークはＴＶ会議システム等に広く利用されているが、最近では市販されている地上波デジタル放送対応のＴＶ受像機の中にはＩＰネットワークに接続できる機種もあり、ＴＶ受像機をリモコンで操作することにより通信端末として利用できるようになっている。更に、将来的には一般のＴＶ映像もＩＰパケットで伝送・配信するようなシステムも検討されている。
【０００７】
そこで、本発明は、ＩＰネットワークに接続されたＴＶ受像機について、リモコン操作における選局ボタンと放送局との対応付けをユーザが自分の好みに合った設定にすることができ、且つその設定を複数のＴＶ受像機に対しても自由に利用できるようにしたＴＶ受像機の選局操作設定方法とそのシステムを提供することを目的として創作された。
【課題を解決するための手段】
【０００８】
本発明は、ＩＰネットワークに接続された複数のＴＶ受像機と、前記各ＴＶ受像機を制御するリモコンと、前記ＩＰネットワークに接続された情報サーバとからなり、ユーザが前記リモコンで前記各ＴＶ受像機の内の１台のＴＶ受像機を制御することにより、ユーザ識別情報及びリモコン操作に係る選局ボタンと放送局の対応情報を作成すると共に、それら各情報を前記ＩＰネットワークを介して前記情報サーバへ送信せしめ、前記情報サーバが前記ユーザ識別情報と前記対応情報とを対応付けて記憶手段に登録する第１手順と、前記ユーザが前記リモコンで前記ＴＶ受像機の内のいずれかを制御して前記ユーザ識別情報を前記ＩＰネットワークを介して前記情報サーバへ送信する第２手順と、前記情報サーバが前記第２手順で前記ＴＶ受像機から送信された前記ユーザ識別情報を受信し、前記記憶手段において前記ユーザ識別情報に対応付けられている前記対応情報を前記第２手順で前記ユーザ識別情報を送信した前記ＴＶ受像機へ前記ＩＰネットワークを介して送信する第３手順と、前記第３手順で送信された前記対応情報を受信した前記ＴＶ受像機が、その対応情報に基づいてリモコン操作に係る選局ボタンと放送局の対応関係を設定する第４手順とを実行することにより、前記ユーザが設定したリモコン操作に係る選局ボタンと放送局の対応関係を前記ＩＰネットワークに接続された前記各ＴＶ受像機の選局操作に適用できるようにしたことを特徴とするＴＶ受像機の選局操作設定方法に係る。
【０００９】
本発明のＴＶ受像機の選局操作設定方法では、各ＴＶ受像機がＩＰネットワークに接続されていることを利用して、ＩＰネットワーク上の情報サーバによってユーザ識別情報及びリモコン操作に係る選局ボタンと放送局の対応情報を管理させている。従って、ユーザ識別情報を情報サーバに送信することによりリモコン操作における選局ボタンと放送局との対応情報を情報サーバから読み出してＴＶ受像機に設定でき、ＩＰネットワークに接続されている各ＴＶ受像機をリモコンにより自分で設定した選局ボタンと放送局の対応関係で選局操作できる。
【００１０】
また、前記発明に係るシステムは、ＩＰネットワークに接続された複数のＴＶ受像機と、前記各ＴＶ受像機を制御するリモコンと、前記ＩＰネットワークに接続された情報サーバとからなり、各ＴＶ受像機は、前記リモコンからの所定入力操作により、ユーザ識別情報及びリモコン操作に係る選局ボタンと放送局の対応情報を作成すると共に、それら各情報を前記ＩＰネットワークを介して前記情報サーバへ送信する登録情報送信手段と、前記リモコンからの前記ユーザ識別情報の入力操作により、そのユーザ識別情報を前記ＩＰネットワークを介して前記情報サーバへ送信するユーザ情報送信手段と、前記ユーザ情報送信手段によるユーザ識別情報の送信により前記情報サーバから送信される前記対応情報を受信し、自機における前記リモコン操作に係る選局ボタンと放送局の対応関係を設定する選局機能設定手段とを備え、前記情報サーバは、前記ＴＶ受像機の登録情報送信手段により送信された前記ユーザ識別情報及び前記対応情報を前記ＩＰネットワークを介して受信した場合に、それら各情報を対応付けて記憶手段に登録する情報登録手段と、前記ＴＶ受像機のユーザ情報送信手段により送信された前記ユーザ識別情報を前記ＩＰネットワークを介して受信した場合に、前記記憶手段においてそのユーザ識別情報に対応付けられている前記対応情報を読み出し、前記ＩＰネットワークを介してそのユーザ識別情報を送信した前記ＴＶ受像機へ送信する設定情報送信手段とを備え、前記ユーザが設定したリモコン操作に係る選局ボタンと放送局の対応関係を前記ＩＰネットワークに接続された前記各ＴＶ受像機の選局操作に適用できるようにしたことを特徴とするＴＶ受像機の選局操作設定システムとして構成できる。
【発明の効果】
【００１１】
本発明のＴＶ受像機の選局操作設定方法及びそのシステムは、複数のＴＶ受像機がＩＰネットワークに接続されている場合に、ＩＰネットワーク上の情報サーバにユーザ識別情報及びリモコン操作に係る選局ボタンと放送局の対応情報を登録・管理させることにより、ユーザがリモコンの簡単な操作でリモコン操作上の選局ボタンと放送局の対応関係を自分の好みに応じたものに設定して、各ＴＶ受像機に対する選局操作を行うことを可能にする。
【発明を実施するための最良の形態】
【００１２】
以下、本発明のＴＶ受像機の選局操作設定方法及びそのシステムの実施形態を図面に基づいて説明する。先ず、図１は実施形態の方法が適用されるネットワーク構成図であり、ＩＰネットワーク１に対して２台のＴＶ受像機２,３と１台のＴＶ受像機４がそれぞれルータ５,６を介して接続されていると共に、ＩＰネットワーク１には情報サーバ７が接続されている。また、ＴＶ受像機２,３にはリモコン８が対応し、ＴＶ受像機４にはリモコン９が対応するようになっている。
【００１３】
この実施形態の方法は、ユーザがリモコン８を用いて自分の好みに合った選局ボタンと放送局の対応関係を規定する情報テーブルをＴＶ受像機２からＩＰネットワーク１を介して情報サーバ７へ登録しておき、前記ユーザがＴＶ受像機２,３,４のいずれかをリモコン８で操作する際に、前記情報テーブルを情報サーバ７から操作対象となるＴＶ受像機へ読み出させ、リモコン８によるそのＴＶ受像機の操作を前記情報テーブルに基づいた選局ボタンと放送局の対応付けで行えるようにするものである。ここに、前記情報テーブルは、図２に示すように、ファミリーユニークコード（組織や家族等のグループ属性を一意的に示すコード）とユーザ番号（前記グループ中の個人を示す番号）とからなるインデックス部、及び各選局ボタン情報（“1”〜“12”）と各放送局のチャンネルコード（1ch:NHK総合，3ch:NHK教育，4ch:日本テレビ，6ch:TBSテレビ，8ch:フジテレビ，10ch:テレビ朝日，12ch:テレビ東京，7ch:NHK衛星第一，11ch:NHK衛星第二 等）とを対応させたテーブル部とで構成されている。
【００１４】
また、図３はこの実施形態における各ＴＶ受像機２,３,４と各リモコン８,９のシステム回路図である。各ＴＶ受像機２,３,４は、ＴＶ回路１１とそのＴＶ回路１１を各リモコン８,９からの制御信号に基づいて制御するＴＶ制御部１２とを備えていると共に、ＩＰネットワーク１を介して情報サーバ７と通信を実行するための通信制御部１３も内蔵させている。ＴＶ制御部１２は、マイクロコンピュータ回路（以下、「マイコン回路」という）を用いた構成からなり、ＣＰＵ２１のバスに対して、ＴＶ制御プログラムや選局操作設定プログラムを格納したＲＯＭ２２と、ワークメモリとして用いられるＲＡＭ２３と、ＴＶ回路１１に対するインターフェイス２４と、リモコン８,９からの赤外線変調信号を受光する受光部２５の出力信号をデコードするデコーダ２６と、通信制御部１３とのインターフェイス２７が接続されている。
【００１５】
一方、リモコン８,９側もマイコン回路を用いた構成であり、ＣＰＵ２１のバスに対して、操作部３２からの入力信号を赤外線ＬＥＤ（Light Emitting Diode）３３の発光変調信号にエンコードするためのプログラムを格納したＲＯＭ３４と、ワークメモリとして用いられるＲＡＭ３５と、Ｉ／Ｏポート３６とが接続されており、操作部３２のボタン操作による入力信号をＩ／Ｏポート３６から取り込み、エンコードした発光変調信号をＩ／Ｏポート３６からＬＥＤ駆動回路３７へ出力させて赤外線ＬＥＤ３３を点滅発光させる。
【００１６】
以上の構成に基づいて、この実施形態では以下のような各信号シーケンスによりＴＶ受像機の選局操作設定を行う。先ず、図４はＴＶ受像機２から情報サーバ７へファミリーユニークコードとユーザ番号の登録を行う際の信号シーケンス図である。ユーザはリモコン８に対して所定操作（例えば、ファンクションボタン３２aとチャンネルボタン「１」を同時に押す操作）を行うことにより、ＴＶ受像機２のＲＯＭ２２に格納されている選局操作設定プログラム中のサーバ登録設定アプリケーションを起動させるための発光変調信号をＴＶ受像機２へ送る（f1）。
【００１７】
ＴＶ受像機２では、前記アプリケーションを起動によりＲＯＭ２２に格納されているサーバ登録設定画面データをＴＶ回路１１へ読み出してディスプレイに表示させる（f2）。そして、ユーザがリモコン８を操作してその画面内の選択アイテムであるファミリ登録認証設定を選択すると、その発光変調信号を受信したＴＶ受像機２ではＲＯＭ２２に格納させてあるＴＶ受像機ユニークコード（端末固有の識別コード）を通信制御部１３へ読み出し、そのコード情報をルータ５からＩＰネットワーク１を介して情報サーバ７へ送信する（f3,f4）。
【００１８】
情報サーバ７では、ＴＶ受像機ユニークコードを受信すると、そのコードで特定されるＴＶ受像機が管理対象機器に含まれているか否かを確認し、管理対象機器に含まれていれば、受付許可メッセージ（コマンド）をＩＰネットワーク１を介してＴＶ受像機２へ送信する（f5,f6）。ＴＶ受像機２では、ＩＰネットワーク１からルータ５を介して受付許可メッセージを受信するが、その受信に基づいてＲＯＭ２２に格納されている認証許可画面データをインターフェイス２４を介してＴＶ回路１１へ読み出してディスプレイに表示させる（f7）。
【００１９】
前記認証許可画面には電話番号の入力欄が設けられており、ユーザに対してその入力を促すメッセージが表示されている。そこで、ユーザはリモコン８のチャンネルボタンを操作して電話番号を入力し、入力完了を示すボタン（例えば、「＃」ボタン）を押すことにより、入力した電話番号に係る発光変調信号をＴＶ受像機２へ送信する（f8）。一方、その発光変調信号を受信したＴＶ受像機２では、選局操作設定プログラムの中の暗号化プログラムを用いて前記電話番号を暗号化し、その暗号データを通信制御部１３へ出力してルータ５からＩＰネットワーク１を介して情報サーバ７へ送信する（f9）。
【００２０】
前記暗号データを受信した情報サーバ７は、その暗号データを用いてファミリーユニークコードを生成し、内蔵ハードディスクが格納しているデータベースに登録すると共に、そのコード情報をＩＰネットワーク１を介してＴＶ受像機２へ送信する（f10,f11）。ＴＶ受像機２は、ファミリーユニークコードをＩＰネットワーク１からルータ５を介して受信すると、それをＲＡＭ２３に登録する（f12）。また、ＲＯＭ２２に格納されているユーザ番号入力画面データをインターフェイス２４を介してＴＶ回路１１へ転送し、その入力画面をディスプレイに表示させる（f13）。
【００２１】
そして、ユーザがリモコン８のチャンネルボタンを操作してユーザ番号を入力すると、その発光変調信号はＴＶ受像機２で受信されるが、ＴＶ受像機２はデコーダ２６でデコードされたユーザ番号情報を通信制御部１３へ出力し、ルータ５からＩＰネットワーク１を介して情報サーバ７へ送信する（f14,f15）。ユーザ番号情報を受信した情報サーバ７では、その番号を前記ファミリーユニークコードと対応させて内蔵ハードディスクの前記データベースに登録し、登録通知情報をＩＰネットワーク１を介してＴＶ受像機２へ送信する（f16,f17）。また、ＴＶ受像機２はその登録通知情報をＩＰネットワーク１からルータ５を介して受信すると、ＲＯＭ２２に格納されているユーザ登録完了画面データを読み出してインターフェイス２４を介してＴＶ回路１１へ転送し、ディスプレイにその画面を表示させてユーザに通知する（f18）。
【００２２】
尚、図４の信号シーケンスの手順f4で情報サーバ７がＴＶ受像機２からＴＶ受像機ユニークコードを受信した場合において、そのコードで特定されるＴＶ受像機２が管理対象機器に含まれていないときには、情報サーバ７は受付不許可メッセージをＴＶ受像機２へ返送し、以降の手順を進行させないようにする。即ち、その場合はＴＶ受像機２におけるリモコン８の選局ボタンと放送局との対応関係がメーカ標準設定や地域標準設定として固定されたものであり、この実施形態のようにカスタマイズされた設定を行えない機種だからである。
【００２３】
図４に示した以上の手順によってＴＶ受像機２に対するファミリーユニークコードとユーザ番号の登録は完了するが、次に、図５の信号シーケンスに示される選局ボタン／チャンネル情報設定モードへ移行する。先ず、ユーザがリモコン８に対して所定操作（例えば、ファンクションボタン３２aとチャンネルボタン「２」を同時に押す操作）を行うことにより、そのモード設定のための発光変調信号がＴＶ受像機２へ送信される（f21）。
【００２４】
すると、そのモード設定信号を受信したＴＶ受像機２では、ＲＯＭ２２に格納されている選局ボタン／チャンネル情報設定画面データをインターフェイス２４を介してＴＶ回路１１へ転送し、ディスプレイにその画面を表示させる（f22）。この実施形態における選局ボタン／チャンネル情報設定画面は図７に示されるような構成を有しており、リモコン８の操作と同図に示す表示状態とを対応付けて説明すると次のようになる。先ず、リモコン８のチャンネルボタンで選局ボタンを選択すると、その選局ボタンに対応する［放送局（チャンネルコード）］欄の部分の色が変化し、変化した欄の右側にＴＶ受像機２が受信可能な各放送局とそれぞれのチャンネルコードを含んだプルダウンメニューが表示される（f23,f24）。
【００２５】
次いで、リモコン８のＣＨ：＋／−の各ボタンを操作するとプルダウンメニューの各放送局が順次選択状態となり、前記選局ボタンに対応付ける放送局の選択状態で＊ボタンを押して確定させることができ、選局ボタンに対応する［放送局（チャンネルコード）］欄が確定させた放送局とチャンネルコードの決定表記に切り換る（f25,f26）。尚、図７は選局ボタン“４”に「テレビ朝日（10ch）」を対応付ける場合を示している。そして、ユーザがリモコン８を操作して各選局ボタン“1”〜“12”について同様の手順を実行することにより、全ての選局ボタンと放送局との対応付けを自分の好みに合わせた設定にできるが、ＴＶ受像機２ではその設定状態を情報テーブルとしてＲＡＭ２３に格納させている。
【００２６】
このようにして、選局ボタンと放送局との対応付け設定の入力が完了すると、ユーザはリモコン８に対して所定操作（例えば、ファンクションボタン３２aとチャンネルボタン「３」を同時に押す操作）を行うことにより、ＴＶ受像機２に対して前記情報テーブルの送信要求を行い、その送信要求の発光変調信号を受信したＴＶ受像機２では情報テーブルデータをＲＡＭ２３から通信制御部１３へ読出し、ルータ５からＩＰネットワーク１を介して情報サーバ７へ送信する（f27,f28）。一方、情報テーブルデータを受信した情報サーバ７では、図４の信号シーケンスの手順f10,f16において既に内蔵ハードディスクのデータベースに登録させてあるファミリーユニークコードとユーザ番号に対応させてその情報テーブルを登録し、その登録後、情報テーブル受信確認をＩＰネットワーク１を介してＴＶ受像機２へ返送する（f29,f30）。ＴＶ受像機２では、ＩＰネットワーク１からルータ５を介して情報テーブル受信確認を受信したことに基づいて、情報テーブル更新確認画面データをＲＯＭ２２からインターフェイス２４を介してＴＶ回路１１へ読み出して、その画面をディスプレイに表示させる（f31）。また、それにより当初に起動させたサーバ登録設定アプリケーションを終了させる。
【００２７】
ところで、以上のサーバ登録設定アプリケーションの手順説明では、リモコン８を有するユーザが、ＴＶ受像機２に対するリモコン８の選局ボタンと放送局とを対応付けた情報テーブルをＩＰネットワーク１上の情報サーバ７へ登録する場合について説明したが、他のＴＶ受像機３,４についても同様の条件で設定することができる。但し、その場合には、既にＴＶ受像機２に係る登録手順で情報サーバ７に対してファミリーユニークコードとユーザ番号と情報テーブルを対応付けて登録させてあるため、前記情報テーブルの内容を変更する必要がなければＴＶ受像機３,４にファミリーユニークコードを登録させるまでの手順（図４のf1〜f12）を実行するだけでよい。また、リモコン９を有するユーザも、同様の手順で各ＴＶ受像機２,３,４に対する自分の好みに応じたリモコン９の選局ボタンと放送局とを対応付けた情報テーブルを情報サーバ７に登録することができるが、当然にその場合のユーザ番号はリモコン９を有するユーザ固有のものとなる。
【００２８】
次に、上記のようにして情報テーブルが情報サーバ７へ登録されていることを前提として、ユーザがリモコン８からＴＶ受像機２を制御する場合の手順を図６の信号シーケンスを参照しながら説明する。先ず、リモコン８からＴＶ受像機２をメーカ標準設定の選局ボタンと放送局の対応関係で制御する場合には通常の操作でよいが、上記で設定した情報テーブルに基づいた選局ボタンと放送局の対応関係でリモコン８を利用する場合には、リモコン８からＴＶ受像機２に対してユーザ専用入力モード選択の指示入力をしなければならない（f41）。例えば、ファンクションボタン３２aとチャンネルボタン「０」を同時に押す操作で前記指示入力を行う等の方式が採用できる。
【００２９】
リモコン８側の前記指示入力によりその発光変調信号を受信したＴＶ受像機２では、ユーザ番号入力画面データをＲＯＭ２２からインターフェイス２４を介してＴＶ回路１１へ読み出して、その画面をディスプレイに表示させる（f42）。そして、ユーザがリモコン８のチャンネルボタンを操作して前記入力画面を見ながらユーザ番号を入力し、入力完了を示すボタン（例えば、「＃」ボタン）を押すことにより、入力したユーザ番号に係る発光変調信号をＴＶ受像機２へ送信する（f43）。
【００３０】
発光変調信号によるユーザ番号を受信したＴＶ受像機２では、ＲＡＭ２３に登録されているファミリーユニークコードと受信したユーザ番号とを直ちに通信制御部１３へ読出し、ルータ５からＩＰネットワーク１を介して情報サーバ７へ送信する（f44）。一方、ＩＰネットワーク１からファミリーユニークコードとユーザ番号を受信した情報サーバ７は、内蔵ハードディスクのデータベースを検索・確認してそのファミリーユニークコードとユーザ番号に対応付けられている情報テーブルを読出し、ＩＰネットワーク１を介してＴＶ受像機２へ送信する（f45,f46）。ＩＰネットワーク１からルータ５を介して情報テーブルを受信したＴＶ受像機２では、その情報テーブルをＲＡＭ２３に格納してＲＯＭ２２の選局制御プログラムにおける選局ボタンと放送局の対応情報としてセットした後、ユーザ専用入力許可画面データをＲＯＭ２２からインターフェイス２４を介してＴＶ回路１１へ読み出し、その画面をディスプレイに表示させる（f47,f48）。その結果、ユーザはリモコン８によって予め情報サーバ７に登録させた選局ボタンと放送局の対応関係で選局操作が可能になったことを確認でき、以降、そのカスタマイズされた対応関係に基づいて選局操作を行うことが可能になる（f49）。
【００３１】
そして、前記ユーザ専用入力モードでは、リモコン８でＴＶ受像機２を制御する場合について説明したが、ＴＶ受像機３,４にファミリーユニークコードが登録されていれば、ＴＶ受像機３,４に対してもカスタマイズされた選局ボタンと放送局の対応関係で選局操作が可能である。即ち、ファミリーユニークコードが登録されているＴＶ受像機３,４に対してユーザ番号を送信すれば、ＴＶ受像機３,４はファミリーユニークコードとユーザ番号を情報サーバ７へ送信するため、情報サーバ７ではそのユーザが登録した情報テーブルを特定してＴＶ受像機３,４へ送信することができる。それはリモコン９を有するユーザにおいても同様であり、情報サーバ７に対して各ＴＶ受像機２,３,４のファミリーユニークコードとそのユーザのユーザ番号とに対応付けて独自に作成した情報テーブルを登録しておけば、各ＴＶ受像機２,３,４に対する選局操作において同様の利便性を享受できる。
【００３２】
尚、この実施形態では、情報サーバ７が内蔵ハードディスクのデータベースにファミリーユニークコードやユーザ番号や情報テーブルを登録するようにしているが、ＮＡＳ（Network Attached Storage）のようなネットワーク上の統合ファイルサーバシステムによってデータベースを管理するような方式であってもよい。
【産業上の利用可能性】
【００３３】
本発明のＴＶ受像機の選局操作設定方法及びそのシステムは、ＩＰネットワークに接続されたＴＶ受像機のリモコン制御システムに適用できる。
【図面の簡単な説明】
【００３４】
【図１】本発明のＴＶ受像機の選局操作設定方法及びそのシステムが適用されるネットワーク構成図である。
【図２】情報テーブルの構成を示す図である。
【図３】実施形態における各ＴＶ受像機と各リモコンのシステム回路図である。
【図４】ファミリーユニークコードとユーザ番号の登録手順を示す信号シーケンス図である。
【図５】選局ボタン／チャンネル情報設定モードでの手順を示す信号シーケンス図である。
【図６】リモコンからＴＶ受像機を制御する場合の手順を示す信号シーケンス図である。
【図７】選局ボタン／チャンネル情報設定画面を示す図である。
【符号の説明】
【００３５】
１…ＩＰネットワーク、２,３,４…ＴＶ受像機、５,６…ルータ、７…情報サーバ、８,９…リモコン、１１…ＴＶ回路、１２…ＴＶ制御部、１３…通信制御部、２１,３１…ＣＰＵ、２２,３４…ＲＯＭ、２３,３５…ＲＡＭ、２４,２７…インターフェイス、２５…受光部、２６…デコーダ、３２…操作部、３２a…ファンクションボタン、３３…赤外線ＬＥＤ、３６…Ｉ/Ｏポート、３７…ＬＥＤ駆動回路。
【図１】
2006196942.tif 000003
【図２】
2006196942.tif 000004
【図３】
2006196942.tif 000005
【図４】
2006196942.tif 000006
【図５】
2006196942.tif 000007
【図６】
2006196942.tif 000008
【図７】
2006196942.tif 000009